(57)【特許請求の範囲】
【請求項１】
所望の領域を照射する面状の光源と、
前記光源を搭載した第１のミラーと、
第２のミラーとを具備し、
前記第１のミラーは前記第２のミラーに対する角度を３次元方向に調整可能であって、
前記第１のミラーは、支持体に載置される可撓性フィルムで構成された光学面と前記可撓性フィルムの両端に配設された有機エレクトロルミネッセント素子とで構成された照明付ミラー。
【請求項２】
請求項１に記載の照明付ミラーであって、
前記第１のミラーは、ミラー本体と、前記ミラー本体の両側に、長さ方向全体にわたって所定幅の発光面を形成するように配設された面発光モジュールとを具備した照明付ミラー。
【請求項３】
請求項1または２に記載の照明付ミラーであって、
筒状の把持部と、
前記把持部から伸張する軸体と前記軸体に取り付けられた第２のミラーとを備え、
前記第１のミラーは、前記把持部に対して、３次元方向に回動可能な光学面を具備した照明付ミラー。
【請求項４】
請求項２に記載の照明付ミラーであって、
前記面発光モジュールは、ミラー本体の両端に設けられた有機エレクトロルミネッセンス装置である照明付ミラー。
【請求項５】
請求項１に記載の照明付ミラーであって、
前記第１のミラーの主表面の５０％以上が発光面を構成した照明付ミラー。
【請求項６】
請求項１乃至５に記載の照明付ミラーであって、
前記可撓性フィルムは、形状記憶合金で構成された支持体で支持されており、曲率半径が調整可能である照明付ミラー。
【請求項７】
請求項１乃至６のいずれかに記載の照明付ミラーであって、
前記第１のミラーは平面鏡を含む照明付ミラー。
【請求項８】
請求項１乃至６のいずれかに記載の照明付ミラーであって、
前記第１のミラーは凹面鏡を含む照明付ミラー。
【請求項９】
請求項１乃至６のいずれかに記載の照明付ミラーであって、
前記第１のミラーは複数のミラーが組み合わされてなる照明付ミラー。
【発明の詳細な説明】
【技術分野】
【０００１】
本発明は、照明付ミラーに関し、特に、メイクアップ、顔剃りなどの整顔を行う際に所望の領域を照射する照明付ミラーに関する。
【背景技術】
【０００２】
人間の顔には凹凸があり、鼻の穴、まぶたの内側、のどの奥など、自分自身の眼では見えにくい部分がある。鏡を使っても、鼻の穴などの暗い部分はきわめて見づらいと言う問題がある。
例えば、窓などから入る太陽光は上方から陽がさしてくるため、顔の正面や上方は明るく良く見えるが、鼻の中や顎の下が暗くて見にくいという問題があり、この問題を解決するために、鏡面より突出させて鏡面上を移動可能な照明器具をとりつけ、照明器具からの直接光と、鏡面を反射した反射光とで、顔面を照射するようにした照明器具付鏡が提案されている（特許文献１）。
【０００３】
また、平面鏡の側縁または周縁におけるガラスまたはプラスチック製の透明鏡体部にレンズ片を埋設し、薄膜ＥＬ素子を形成したＥＬ照明付鏡も提案されている（特許文献２）。
【０００４】
特許文献２によれば、なす角を互いに変更可能な２枚のミラーの一方に複数の薄膜ＥＬ素子を埋め込み、折り畳み角度を変えることにより、蓋部鏡面では使用者の顔面を固定的に映しながら、顔面の任意のレベルを集中的に照射できるとしている。
【０００５】
【特許文献１】特開２００３−２４９１２０号公報
【特許文献２】特開２０００−２６２３６９号公報
【発明の開示】
【発明が解決しようとする課題】
【０００６】
しかしながら、このように、従来用いられている照明付ミラーは、直接光が目に入り易い上、実際にはグレアが大きく、見づらいと言う問題があった。
また、鼻の穴の内部をみて鼻毛を切るような場合、自分で作業しようとすると、暗い鼻の穴内部を見るのが困難であると言う問題があった。
また、のどの奥を見ようとする場合にも、内部が暗く、自分ではみることができなかった。
さらに、アイメークにおいて、まぶたの内側にアイラインを引こうとする場合、対象領域を目で確かめながら描画することが困難であるため、まぶたの内側の狭い領域にアイラインを描画するのは極めて困難であった。
【０００７】
本発明は上記の点に鑑みてなされたもので、鼻の穴や歯をはじめ顔面の深くくぼんだ部分を照射し、本来見づらい領域を照明しつつ眺めることのできる照明付ミラーを提供することを目的とする。
【課題を解決するための手段】
【０００８】
そこで本発明の照明付ミラーは、所望の領域を照射する面状の光源と、前記光源を搭載した第１のミラーと、第２のミラーとを具備し、前記第１のミラーは前記第２のミラーに対する角度を３次元方向に調整可能であって、前記第１のミラーは、支持体に載置される可撓性フィルムで構成された光学面と前記可撓性フィルムの両端に配設された有機エレクトロルミネッセント素子とで構成されたことを特徴とする。
この構成により、第１のミラーに搭載された光源で照らしながら第１のミラーで得た反射画像を第２のミラーで観察することで容易に効率よく見にくい部分を見ることができる。
また、この構成により、形状変更が容易であり、所望の曲率の凹面鏡（あるいは擬似凹面鏡）を構成することができ、所望の像を得ることができる。ここで擬似凹面鏡としたのは、像自体は歪んでいても一部が拡大できればよいため、必ずしも完全な凹面鏡を構成していなくてもよく、一部が凹面鏡を構成していればよい。
【０００９】
また本発明は、上記照明付ミラーにおいて、前記第１のミラーは、ミラー本体と、前記ミラー本体の両側に、長さ方向全体にわたって所定幅の発光面を形成するように配設された面発光モジュールとを具備したことを特徴とする。
この構成によれば、面状発光モジュールで光源を構成することで、効率よい照明が可能となり、暗い部分をも効率よく照明し、明るい画像を得ることができる。
【００１０】
また本発明は、上記照明付ミラーにおいて、筒状の把持部と、前記把持部から伸張する軸体と前記軸体に取り付けられた第２のミラーとを備え、前記第１のミラーは、前記把持部に対して、３次元方向に回動可能な光学面を具備したことを特徴とする。
この構成によれば、極めて簡単な構成で角度を効率よく変換可能であり、把持部に電源や制御回路を収納することでコードレスで使い易い照明付ミラーを構成することができる。
【００１１】
また本発明は、上記照明付ミラーにおいて、前記面発光モジュールは、ミラー本体の両端に設けられたことを特徴とする。
この構成により、照明と反射画像の取得の効率化をはかることができる。
【００１３】
また本発明は、上記照明付ミラーにおいて、前記第１のミラーの主表面の５０％以上が発光面を構成したことを特徴とする。
この構成により、照射光量を高めつつ良好な反射画像を得ることができ、この反射画像を第２のミラー上で見るため、見易い像を得ることが出来る。
【００１４】
また本発明は、上記照明付ミラーにおいて、前記可撓性フィルムは、形状記憶合金で構成されており、曲率半径が調整可能であることを特徴とする。
この構成によれば、凹面鏡の曲率を自由に変えることができる。
【００１５】
また本発明は、上記照明付ミラーにおいて、前記第１のミラーは平面鏡を含むことを特徴とする。
【００１６】
また本発明は、上記照明付ミラーにおいて、前記第１のミラーは凹面鏡を含むことを特徴とする。
【００１７】
また本発明は、上記照明付ミラーにおいて、前記第１のミラーは複数のミラーが組み合わされてなることを特徴とする。
ここで第１のミラーは複数の鏡面の接続体であってもよい。
【発明の効果】
【００１８】
以上説明したように、本発明の照明付ミラーによれば、第１のミラーは、所望の領域を照射する面状の光源と、前記光源を搭載した第１のミラーと、前記第１のミラーに対する角度を３次元方向に調整可能な第２のミラーを具備しているため、グレアも低減でき、鼻の穴や上まぶたの内側などの暗くてみにくい領域を良好に照射することができる。
【発明を実施するための最良の形態】
【００１９】
以下、本発明の実施の形態について図面を参照しつつ詳細に説明する。
（実施の形態１）
図１は本発明の実施の形態１の照明付ミラーを示す全体説明図、図２（ａ）および（ｂ）は光源を搭載した第１のミラーの要部拡大図である。図２（ｂ）は図２（ａ）のＡ−Ａ断面図である。図３はこの照明付ミラーの使用例を示す図、図４は第１のミラーに映った鼻の穴の状態を示す図、図５は第２のミラーに映った鼻の穴の状態を示す図である。
本発明の実施の形態１の照明付ミラーは、図１に示すように、所望の領域を照射する有機エレクトロルミネッセント素子からなる面状の光源１０２と、前記光源１０２を搭載した第１のミラー１００と、前記第１のミラー１００に対する角度を３次元方向に調整可能な第２のミラー２００を具備し、第１のミラー１００に映し出された対象物を視線方向へ反射するようにこの第１のミラーの角度が調整されるものである。
【００２０】
またこの第１のミラー１００は、ミラー本体１０３と、前記ミラー本体１０３の両側に、長さ方向全体にわたって所定幅の発光面を形成するように配設された面発光モジュール１０２とを具備している。
【００２１】
本発明は、上記照明付ミラーにおいて、筒状の把持部３００と、前記把持部３００から伸張する第２の軸体２０１と前記軸体に取り付けられた第２のミラー２００とを備え、前記第１のミラー１００は、第１の軸体１０１にとりつけられ、前記把持部３００に対して、３次元方向に回動可能な光学面を具備したことを特徴とする。なおこの把持部３００には電池および点灯制御回路などが内蔵されている。また第２のミラー２００は第２の軸体２０１に対して回動自在に指示されている。
【００２２】
また、前記第１のミラーは、図２（ａ）および(ｂ)に示すように、支持体１０４としてのガラス基板上に載置されるミラー本体１０３と、ミラー本体１０３の両端に配設された有機エレクトロルミネッセント素子１０２とで構成される。この有機エレクトロルミネッセント素子１０２は、支持体１０４上に形成された膜厚１００から２００ｎｍ程度のアルミニウム薄膜からなる電極１０２Ｃと、α―ＮＰＤなどの芳香族ジアミン化合物からなるホール輸送層、Ａｌｑ3からなる発光層、クマリンからなる電子輸送層とで構成される発光機能を有した層１０２ｂと、膜厚１００から２００ｎｍ程度のＩＴＯ薄膜からなる透光性薄膜１０２ａとで構成され、所望の色の出射光Ｌ０を得ることができるものである。
【００２３】
またミラー本体１０３は、支持体としてのガラス基板１０４の表面に形成されたアルミニウム薄膜１０２ｃで構成された反射面（光学面）で構成される。
また、これら有機エレクトロルミネッセント素子１０２で囲まれた真ん中の領域は、入射光Ｌ１を出射光Ｌ２として出射する光学面を構成する。なお、ミラー本体１０３、有機エレクトロルミネッセント素子１０２共に表面を可撓性の透光性フィルム１０５で被覆されている。
またこの第１のミラー１００は把持部３００に回動自在に形成された第１の軸体１０１に支持されている。
【００２４】
次にこの照明付ミラーの機能およびその使用方法について説明する。
図３に示すように、把持部３００に取り付けられたスイッチ（図示せず）をオンにし、有機エレクトロルミネッセント素子を点灯するとともに第１および第２のミラー１００、２００を回動させて、鼻の穴を有機エレクトロルミネッセント素子（ELパネル）の光で照らすことで、得られた像（ここでは鼻の穴の中）を第１のミラー１００によって、第２のミラー２００へ反射させる。
次いで、第１のミラー１００に映った鼻の穴の状態は第２のミラー２００によって視線方向へ反射せしめられる。
ここで把持部３００は、内部に電池を内蔵しており、コードレス形態を有している。
【００２５】
これにより、第１および第２のミラーの方向調整を容易に行うことができる。
このようにして、本発明の実施の形態１の照明付ミラーを用いることで、従来は見ることが困難であった鼻の穴の内部を容易に効率よく見ることができる。図４は有機エレクトロルミネッセント素子の光で第１のミラー本体に照らし出された鼻の穴の状態を示す。また図５は第２のミラーに照らし出された鼻の穴の状態を示す。
このように、図５に示すように、明瞭に第２のミラーに映し出された像をみながら、鼻毛の手入れをするなど効率よく整顔をすることができる。
【００２６】
また、女性がメイキャップを行なう際、まぶたの内側にアイラインを描いたり、まつげの手入れをするのは、目の近傍であること、また、目を使いながら、凹凸を含む所望の微細領域を鏡に映し出して作業をするのは極めて困難であるが、この照明付ミラーを用いることで、効率よく作業を行なうことが可能となる。
【００２７】
なお、上記照明付ミラーにおいて、第１のミラーの主表面の５０％以上が発光面を構成するのが望ましい。この構成により、照射光量を高めつつ良好な反射画像を得ることができ、この反射画像を第２のミラー上で見るため、見易い像を得ることが出来る。
【００２８】
また、前記実施の形態では、支持体１０４としてのガラス基板上に所望の薄膜を成膜することでミラー本体および有機エレクトロルミネッセント素子を形成したが、透光性の可撓性フィルム１０５上にミラー本体および有機エレクトロルミネッセント素子を形成し、これを支持体に貼着するようにしてもよい。
【００２９】
（実施の形態２）
なお、前記実施の形態１では、支持体１０４として剛性基板であるガラス基板を用いたが、本実施の形態では可撓性基板を用いたことを特徴とする。全体としては前記実施の形態１と同様であり、第１のミラーの支持体１０４を剛性基板から可撓性基板に替えた点が異なるのみである。
図６（ａ）および（ｂ）は本発明の実施の形態２の光源を搭載した第１のミラーの要部拡大図である。図６（ｂ）は図６（ａ）のＡ−Ａ断面図である。
【００３０】
本実施の形態においても、図１に示したのと同様に上記照明付ミラーにおいて、筒状の把持部３００と、前記把持部３００から伸張する第２の軸体２０１と前記軸体に取り付けられた第２のミラー２００とを備え、前記第１のミラー１００は、第１の軸体１０１にとりつけられ、前記把持部３００に対して、３次元方向に回動可能な光学面を具備したことを特徴とする。なおこの把持部３００には電池および点灯制御回路などが内蔵されている。また第２のミラー２００は第２の軸体２０１に対して回動自在に指示されている。
【００３１】
また、前記第１のミラーは、図６（ａ）および(ｂ)に示すように、支持体１０４ｆとして可撓性フィルムを用い、図６（ｂ）に示すように、ミラー本体が湾曲面を構成しうるように構成され、擬似凹面鏡となることで、拡大鏡を構成できるようにしたものである。１０５は透光性フィルムである。
【００３２】
この構成によれば、歪んだ像にはなるが、拡大方向を選択することで、その部分のみの拡大は可能となり、まぶたの内側を拡大したり、毛穴を拡大したりするなど、局所的な拡大像を得ることができる。また、湾曲状態を調整することで、鏡面の曲率半径を変えることができることから、焦点位置も調整可能である。
またこの支持体１０４ｆを形状記憶合金で構成することで、湾曲形状を調整し、その状態を維持することも可能である。
【００３３】
（実施の形態３）
次に本発明の実施の形態３について説明する。本実施の形態では、第１のミラー１００を、円盤状にし、中心部に凹面鏡で構成されたミラー本体１０３Ｓを配するとともに、このミラー本体１０３Ｓの周りにリング状の有機エレクトロルミネッセント素子１０２Ｓを配したことを特徴とするものである。全体としては前記実施の形態１と同様である。
図７（ａ）および（ｂ）は本発明の実施の形態３の光源を搭載した第１のミラーの要部拡大図である。図７（ｂ）は図７（ａ）のＡ−Ａ断面図である。
【００３４】
本発明の実施の形態においても、図１に示したのと同様に上記照明付ミラーにおいて、筒状の把持部３００と、前記把持部３００から伸張する第２の軸体２０１と前記軸体に取り付けられた第２のミラー２００とを備え、前記第１のミラー１００は、第１の軸体１０１にとりつけられ、前記把持部３００に対して、３次元方向に回動可能な光学面を具備している。なおこの把持部３００には電池および点灯制御回路などが内蔵されている。また第２のミラー２００は第２の軸体２０１に対して回動自在に指示されている。
【００３５】
また、前記第１のミラーは、図７（ａ）および(ｂ)に示すように、ミラー本体１０３Ｓとリング状の有機エレクトロルミネッセント素子１０２Ｓとで構成されている。ミラー本体１０３Ｓは、支持基板１０３ｂとして、シリコン基板を湾曲形状をなすようにエッチングしたものを用い、この表面にスパッタリング法によりアルミニウム薄膜１０３ｍを形成し鏡面を形成することで凹面鏡を構成したものである。
【００３６】
有機エレクトロルミネッセント素子は支持体１０２ｎとしてガラス基板を用い、このガラス基板の表面に図７（ｂ）に示すように、ＩＴＯ薄膜からなる透光性薄膜１０２ａと、発光機能を有した層１０２ｂと、アルミニウム薄膜からなる電極１０２Ｃとで構成され、所望の色の出射光Ｌ０を得ることができるものである。
【００３７】
この構成によれば、ミラー本体は拡大鏡を構成しており、まぶたの内側を拡大したり、毛穴を拡大したりするなど、拡大像を得ることができる。
【００３８】
また、シリコン基板のエッチングに際して、湾曲状態を調整することで、鏡面の曲率半径を変えることができることから、焦点位置を調整することができる。
【００３９】
この第１のミラー１００のミラー本体１０３Ｓの湾曲面の形成は、エッチングによってなされるが、例えば以下のようにして得ることができる。まず、シリコン基板にレジストを塗布する際、レジストパターンを形成する領域に開口をもつ（反転パターンである）プレマスクを形成しておき、表面張力を利用して周縁部が盛り上がるような形状を得、硬化させることで、湾曲面をもつレジストパターンを形成する。そして、プレマスクを除去した後、このレジストパターンとシリコンとのエッチング速度が等しくなるような条件でエッチバックすることで、レジストパターンの湾曲面と類似した、所望の湾曲面形状を得ることができる。
また、ミラー本体をアルミキャストで構成し、所望の曲率の反射面を形成するように成型加工を行うようにしてもよい。
【００４０】
また、前記実施の形態では、面発光モジュールとして有機エレクトロルミネッセンス素子を用いたが無機エレクトロルミネッセンス素子を用いるようにしてもよい。また、他の面発光モジュールを用いてもよいことは言うまでもない。
【００４１】
また、第１のミラーは複数の鏡面をつなぎ合わせた構造であってもよい。つまり複数のミラーが組み合わされていてもよい。
【図面の簡単な説明】
【００４２】
【図１】本発明の実施の形態１の照明付ミラーを示す全体説明図
【図２】光源を搭載した第１のミラーの要部拡大図
【図３】同照明付ミラーの使用例を示す図
【図４】第１のミラーに映った鼻の穴の状態を示す図
【図５】第２のミラーに映った鼻の穴の状態を示す図
【図６】本発明の実施の形態２の照明付ミラーの第１のミラーの要部拡大図
【図７】本発明の実施の形態３の照明付ミラーの第１のミラーの要部拡大図
【符号の説明】
【００４３】
１００  第１のミラー
２００  第２のミラー
３００  把持部
１０２  有機エレクトロルミネッセント素子
１０３  ミラー本体
【図１】
0005201725.tif 000002
【図２】
0005201725.tif 000003
【図３】
0005201725.tif 000004
【図４】
0005201725.tif 000005
【図５】
0005201725.tif 000006
【図６】
0005201725.tif 000007
【図７】
0005201725.tif 000008